(57)【要約】【課題】着信に関する詳細な情報を外出先から容易に確認できるようにする。【解決手段】主装置１の発信者情報検出部１４で、電話網３からの着信の際に電話網３から通知される当該着信の発信者に関する発信者情報を検出し、呼制御手段１８Ａにより、発信者情報検出手段１４で検出した発信者情報と計時部１５で得られた当該着信の着信時刻とを取得し、これら情報を当該着信に関する着信情報１７Ｂとして記憶部１７へ格納する。主装置１の情報提供手段１８Ｂにより、通信網５を介した任意の通信端末６からの着信情報確認要求に応じて記憶部１７から着信情報１７Ｂを読み出して通信端末６へ提供する。【選択図】  図２
2006129280.tif 000002
【特許請求の範囲】
【請求項１】
電話網に接続して通話を行う電話装置であって、
電話網からの着信の際に前記電話網から通知される当該着信の発信者に関する発信者情報を検出する発信者情報検出部と、
時刻を計時する計時部と、
個々の着信に関する着信情報を記憶する記憶部と、
前記電話網からの着信に応じて前記発信者情報検出手段で検出した当該着信の発信者情報と前記計時部で得られた当該着信の着信時刻とを取得し、これら情報を当該着信に関する着信情報として前記記憶部へ格納する呼制御手段と、
通信網に接続し、当該通信網を介した任意の通信端末からの着信情報確認要求に応じて、前記記憶部から着信情報を読み出して前記通信端末へ提供する情報提供手段と
を備えることを特徴とする電話装置。
【請求項２】
請求項１に記載の電話装置において、
前記着信情報は、前記発信者情報および前記着信時刻に加え、当該着信への応答有無を示す情報を含むことを特徴とする電話装置。
【請求項３】
請求項１に記載の電話装置において、
前記情報提供手段は、
前記着信情報を前記通信端末へ提供した際、前記着信情報のうちのいずれかについて前記端末で記入された対応状況情報を含む前記通信端末からの着信情報更新指示に応じて、前記対応状況情報を当該着信情報に関連付けて前記記憶部に格納し、
前記着信情報を提供する際、前記対応状況情報を含む着信情報を提供することを特徴とする電話装置。
【請求項４】
請求項３に記載の電話装置において、
前記対応状況情報は、当該着信情報の発信者情報に対応する発信者へ折り返し連絡したか否かを示す折り返し連絡有無情報と、当該情報を記入した記入者を示す記入者情報とを含むことを特徴とする電話装置。
【請求項５】
請求項１に記載の電話装置において、
前記記憶部は、前記着信情報を通知すべき通知先アドレスを記憶し、
前記情報提供手段は、前記通信端末から前記着信情報を確認するのに必要な情報を、前記記憶部に記憶されている前記通知先アドレスへ前記通信網を介して送信することを特徴とする電話装置。
【発明の詳細な説明】
【技術分野】
【０００１】
本発明は、電話通信技術に関し、特に外出中に発生した着信の情報を外出先から確認するための着信情報管理技術に関する。
【背景技術】
【０００２】
電話装置の１つとして、利用者が外出している際すなわち留守中に電話がかかってきた場合、その着信に対して自動応答して発信者からの音声メッセージを録音する留守番電話装置がある。このような留守番電話装置では、利用者が留守中に動作してメッセージを録音しておき、帰宅した利用者によるメッセージ確認操作に応じて、録音していた音声メッセージを再生するものとなっている。したがって、留守中にあった着信は利用者が帰宅しないと確認できなかった。
【０００３】
従来、このような課題を解決するため、留守番電話装置に利用者が携帯するポケットベルの電話番号を登録しておき、留守中に着信を検出した場合、留守番電話装置から利用者のポットベルを呼び出す技術が提案されている（例えば、引用文献１等参照）。
これにより、利用者は外出中であっても、ポケットベルの呼び出しで自宅の電話装置に着信があったことがわかる。
【０００４】
なお、出願人は、本明細書に記載した先行技術文献情報で特定される先行技術文献以外には、本発明に関連する先行技術文献を出願時までに発見するには至らなかった。
【特許文献１】特開６０−１０７９５７号公報
【発明の開示】
【発明が解決しようとする課題】
【０００５】
しかしながら、このような従来技術では、ポケットベルの呼び出しにより利用者が知り得るのは着信の有無だけであり、いつ誰から着信があったかなど、より詳細な着信情報を知ることができないため、具体的な対応をとることができないという問題点があった。
本発明はこのような課題を解決するためのものであり、着信に関する詳細な情報を外出先から容易に確認できる電話装置を提供することを目的としている。
【課題を解決するための手段】
【０００６】
このような目的を達成するために、本発明にかかる電話装置は、電話網に接続して通話を行う電話装置であって、電話網からの着信の際に電話網から通知される当該着信の発信者に関する発信者情報を検出する発信者情報検出部と、時刻を計時する計時部と、個々の着信に関する着信情報を記憶する記憶部と、電話網からの着信に応じて発信者情報検出手段で検出した当該着信の発信者情報と計時部で得られた当該着信の着信時刻とを取得し、これら情報を当該着信に関する着信情報として記憶部へ格納する呼制御手段と、通信網に接続し、当該通信網を介した任意の通信端末からの着信情報確認要求に応じて、記憶部から着信情報を読み出して通信端末へ提供する情報提供手段とを備えている。
【０００７】
この際、着信情報に、発信者情報および着信時刻に加え、当該着信への応答有無を示す情報を含むようにしてもよい。
【０００８】
また、情報提供手段で、着信情報を通信端末へ提供した際、着信情報のうちのいずれかについて端末で記入された対応状況情報を含む通信端末からの着信情報更新指示に応じて、対応状況情報を当該着信情報に関連付けて記憶部に格納し、着信情報を提供する際、対応状況情報を含む着信情報を提供するようにしてもよい。
【０００９】
さらに、対応状況情報に、当該着信情報の発信者情報に対応する発信者へ折り返し連絡したか否かを示す折り返し連絡有無情報と、当該情報を記入した記入者を示す記入者情報とを含むようにしてもよい。
【００１０】
また、記憶部で、着信情報を通知すべき通知先アドレスを記憶し、情報提供手段で、通信端末から着信情報を確認するのに必要な情報を、記憶部に記憶されている通知先アドレスへ通信網を介して送信するようにしてもよい。
【発明の効果】
【００１１】
本発明によれば、電話装置の発信者情報検出部で、電話網からの着信の際に電話網から通知される当該着信の発信者に関する発信者情報が検出されて、呼制御手段により、発信者情報検出手段で検出した発信者情報と計時部で得られた当該着信の着信時刻とが当該着信に関する着信情報として記憶部へ格納し、電話装置の情報提供手段により、通信網を介した任意の通信端末からの着信情報確認要求に応じて記憶部から着信情報が読み出されて通信端末へ提供されるため、利用者が外出先から通信端末により電話装置の着信情報を容易に確認できる。
したがって、利用者が外出中に電話装置へ着信があり利用者が応答できなかった場合でも、その着信に関する着信情報、ここでは発信者情報と着信時刻とを外出先から逐次確認でき、必要に応じて発信者へ折り返し連絡をとることができる。
【発明を実施するための最良の形態】
【００１２】
次に、本発明の実施の形態について図面を参照して説明する。
［第１の実施の形態］
まず、図１を参照して、本発明の第１の実施の形態にかかる電話装置について説明する。図１は、本発明の第１の実施の形態にかかる電話装置の接続形態を示すブロック図である。以下では、電話装置がボタン電話装置や親子電話装置などの電話システムからなる場合を例として説明する。
【００１３】
この電話装置１０は、主装置１と複数の内線端末２とからなる電話システムから構成されている。主装置１は電話網３への電話回線３Ａを収容し、この電話回線３Ａと内線端末２とを任意に交換接続することにより、内線端末２と電話網３に接続された相手電話機４との間の通話を実現する。また主装置１は、通信網５への通信回線５Ａを収容し、この通信回線５Ａを介して通信網５に接続された通信端末６との間でデータ通信を行うことにより、通信端末６との間で各種情報をやり取りする。
【００１４】
内線端末２は、送受器などの音声インターフェース手段を有し、主装置１とのデータ伝送により制御データや音声データをやり取りすることにより、電話回線３Ａを用いた音声通話を実現する端末装置である。なお、内線端末２については、主装置に接続される公知の内線電話機と同様であり、ここでの詳細な説明は省略する。
【００１５】
電話網３は、公衆電話網（ＰＳＴＮ：Public Switched Telephone Network）やＩＳＤＮ（Integrated Services Digital Network）、さらにはＩＰ（Internet Protocol）電話網など、音声通話を実現する電話網である。以下では、電話網３が、ＰＳＴＮの場合を例として説明する。相手電話機４は、電話網３を用いた音声通話を行う一般的な電話機である。
【００１６】
通信網５は、インターネットに代表されるデータ通信用の通信網であり、この場合、携帯電話網とインターネットなど複数の通信網から構成してもよい。通信端末６は、携帯電話端末、パソコン、ＰＤＡ（Personal Digital Assistant）端末などの一般的な端末装置であり、通信網５を介してデータ通信し、受信した情報を画面表示できる端末装置であればよい。
【００１７】
本実施の形態は、電話装置１０において、電話網３からの着信の際に通知される当該着信の発信者に関する発信者情報と当該着信の着信時刻とを当該着信に関する着信情報として記憶し、通信網５を介した任意の通信端末６からの着信情報確認要求に応じて、記憶しておいた着信情報を読み出して当該通信端末６へ提供するようにしたものである。
【００１８】
［主装置］
次に、図２を参照して、本発明の第１の実施の形態にかかる電話装置の主装置について詳細に説明する。図２は、本発明の第１の実施の形態にかかる主装置の構成を示すブロック図である。
この主装置１は、コンピュータを用いて電話回線３Ａと内線端末２とを任意に交換接続する呼制御を行う制御装置であり、外線インターフェース部（以下、外線Ｉ／Ｆ部という）１１、スイッチ１２、内線インターフェース部（以下、内線Ｉ／Ｆ部という）１３、発信者情報検出部１４、計時部１５、通信インターフェース部（以下、通信Ｉ／Ｆ部という）１６、記憶部１７、および制御部１８とが設けられている。
【００１９】
外線Ｉ／Ｆ部１１は、電話網３への電話回線３Ａを収容し、発信、着信、および通話の際に電話回線３Ａを介して電話網３と各種制御信号や音声信号をやり取りする回線終端制御を行う回路部である。特に、電話網３から電話回線３Ａへの着信を検出して制御部１８へ通知し、制御部１８からの制御に基づき電話回線３Ａを用いた発信を行うとともに、通話の際に音声信号を送受信する。
【００２０】
内線Ｉ／Ｆ部１３は、内線伝送路２Ａを介して複数の内線端末２を収容し、制御部１８からの指示に基づきこれら内線端末２の動作を制御するための制御データや音声通話のための音声データを送受信する回路部である。
スイッチ１２は、外線Ｉ／Ｆ部１１と内線Ｉ／Ｆ部１３との間に設けられ、制御部１８からの指示に基づき外線Ｉ／Ｆ部１１と内線Ｉ／Ｆ部１３とを結ぶ通話路の切り替え制御を行う回路部である。
【００２１】
発信者情報検出部１４は、外線Ｉ／Ｆ部１１に接続されて、着信の際に電話網３から電話回線３Ａを介して通知される、例えば発信者の電話番号などからなる発信者情報を検出し、制御部１８へ出力する回路部である。
計時部１５は、時刻を計時して制御部１８へ出力する回路部である。なお、制御部１８のＣＰＵに計時機能があれば、回路部に代えて制御部１８の機能手段として計時手段を設けてもよい。
通信Ｉ／Ｆ部１６は、通信網５への通信回線５Ａを収容し、通信網５に接続されている通信端末６とデータ通信を行うことにより、着信情報などの各種情報を通信端末６へ提供するとともに、通信端末６から後述する対応状況情報などの各種情報を受信する回路部（ＬＡＮインターフェース回路）である。
【００２２】
記憶部１７は、メモリやハードディスクなどからなり、制御部１８での処理動作に用いる各種制御情報やプログラム１７Ｐを記憶する記憶装置である。主な制御情報としては、呼制御情報１７Ａ、着信情報１７Ｂ、および利用者情報１７Ｃがある。
呼制御情報１７Ａは、電話回線３Ａや内線端末２の状態を示す情報など、電話回線３Ａや内線端末２を制御する際に必要な各種情報である。着信情報１７Ｂは、電話回線３Ａへの各着信に関する情報であり、各着信の発信者に関する発信者情報や着信時刻などが含まれている。利用者情報１７Ｃは、当該電話システムを利用する利用者を認証するための情報であり、各利用者のＩＤやパスワードなどが含まれている。
【００２３】
制御部１８は、ＣＰＵなどのマイクロプロセッサとその周辺回路を有し、記憶部１７からプログラム１７Ｐを読み込んで実行することにより、上記ハードウェアとプログラム１７Ｐとを協働させて、各種機能手段を実現する機能部である。
主な機能手段としては、呼制御手段１８Ａおよび情報提供手段１８Ｂがある。呼制御手段１８Ａは、記憶部１７の呼制御情報１７Ａに基づいて、電話回線３Ａを用いた発信のための発信処理や電話回線３Ａからの着信に対する着信処理などの呼制御を行うとともに、着信の際に得られた情報を記憶部１７へ着信情報１７Ｂとして格納する機能手段である。情報提供手段１８Ｂは、通信回線５Ａを介した通信端末６からの要求に応じて記憶部１７の着信情報１７Ｂを提供する機能手段である。
【００２４】
［着信情報］
次に、図３を参照して、本発明の第１の実施の形態にかかる電話装置で用いられる着信情報について詳細に説明する。図３は、本発明の第１の実施の形態にかかる電話装置で用いられる着信情報の構成例である。
この着信情報１７Ｂでは、着信ごとに、その着信のあった「着信時刻（着信日時）」、その着信の発信者に関する「発信者情報」、その着信に対して任意の内線端末２で応答したか否かを示す「応答有無」、および応答した場合はその応答した「内線端末」などの情報が着信履歴情報として記録されている。
【００２５】
例えば、着信情報２００には、「2004-09-24 10:56」に着信があり、その発信者の電話番号が「03-XXXX-AAAA」であり、その着信に対して内線端末２で応答が「あり」、応答した端末が「内線21」であることが記録されている。
また、着信情報２０１には、「2004-09-24 11:37」に着信があり、その発信者の電話番号が「03-YYYY-BBBB」であり、その着信に対していずれの内線端末２でも応答が「なし」であることが記録されている。
また、着信情報２０２には、「2004-09-24 20:43」に着信があり、その発信者の電話番号が「03-ZZZZ-CCCC」であり、その着信に対していずれの内線端末２で応答が「なし」であることが記録されている。
【００２６】
［第１の実施の形態の動作］
次に、図４を参照して、本発明の第１の実施の形態にかかる電話装置の動作について詳細に説明する。図４は、本発明の第１の実施の形態にかかる電話装置の動作を示すシーケンス図である。
主装置１の制御部１８は、主装置１への電源投入に応じて記憶部１７のプログラム１７Ｐを読み込んで実行することにより、呼制御手段１８Ａで各種呼制御を行う。
【００２７】
電話網３に接続されている相手電話機４から主装置１の電話回線３Ａに対して発信が行われた場合、電話網３から電話回線３Ａを介して主装置１へ着信信号が送信される（ステップ１００）。この際、電話網３から発信側の相手電話機４に関する発信者情報、例えば相手電話機４の電話番号が着信信号に前後して主装置１へ送信される。なお、発信者情報の通知について公知の技術であり、ＰＳＴＮ、ＩＳＤＮ、ＩＰ電話網のいずれにおいても既に網側サービスとして提供されており、本実施の形態では、利用者がこのようなサービスを予め利用しているものとする。
【００２８】
主装置１の外線Ｉ／Ｆ部１１は、電話回線３Ａを介して電話網３からの着信信号を検出し、制御部１８に通知する。また、発信者情報検出部１４は、着信信号と前後して電話網３から送信された発信者情報を検出し、制御部１８へ通知する。
制御部１８の呼制御手段１８Ａは、外線Ｉ／Ｆ部１１からの着信通知に応じて、記憶部１７の呼制御情報１７Ａを参照し、当該着信に対応する内線端末２へ内線Ｉ／Ｆ部１３を介してデータ伝送により着信を通知する（ステップ１０１）。
【００２９】
この際、呼制御手段１８Ａは、発信者情報検出部１４から通知された当該着信に関する発信者情報を取得する（ステップ１０２）。また、計時部１５から当該着信のあった時刻を着信時刻として取得する（ステップ１０３）。
対応する内線端末２では、主装置１からの着信通知を受信して着信音送出などの着信表示を行う。その後、例えば内線端末２１で利用者が応答操作を行った場合、内線端末２１はその応答を主装置１へデータ伝送により通知する（ステップ１０４）。
【００３０】
呼制御手段１８Ａは、内線Ｉ／Ｆ部１３を介して内線端末２１からの応答通知を受信し、外線Ｉ／Ｆ部１１を制御して電話回線３Ａを捕捉し応答信号を電話網３へ送信する（ステップ１０５）。
そして、ステップ１０２，１０３で取得した当該着信に関する発信者情報および着信時刻と、当該着信に対して応答があったことおよび応答した内線端末２１を示す応答端末情報とを、記憶部１７へ着信情報１７Ｂとして格納する（ステップ１０６）。
【００３１】
次に、呼制御手段１８Ａは、スイッチ１２を制御して、着信のあった電話回線３Ａに対応する外線Ｉ／Ｆ部１１の通話路と、応答した内線端末２１に対応する内線Ｉ／Ｆ部１３の通話路とを相互に接続する。これにより、外線Ｉ／Ｆ部１１から出力された電話回線３Ａからの音声信号に関する音声データと、内線Ｉ／Ｆ部１２から出力された内線端末２１からの音声信号に関する音声データとが相互に交換され、相手電話機４と内線端末２との間の通話が開始される（ステップ１０７）。
こうして、呼制御手段１８Ａは、一連の着信処理を終了し、通常の通話処理へ移行し、その後、電話網からの終話信号の検出、あるいは内線端末２１からの終話通知に応じて通常の終話処理へ移行する。
【００３２】
このような着信処理により、記憶部１７の着信情報１７Ｂには、図３に示したように、着信ごとに、当該着信の発信者情報、着信時刻、当該着信に対する応答有無、および応答端末がそれぞれ記録される。
したがって、利用者が外出などにより着信に応答できなかった場合、あるいは他の利用者が着信に代理で応答した場合でも、その着信に関する情報が着信情報１７Ｂとして記憶部１７へ記憶される。
【００３３】
その後、外出中の利用者が通信端末６から通信網５および通信回線５Ａを介して主装置１へ、着信情報の確認を要求する着信情報確認要求を送信した場合（ステップ１１０）、通信Ｉ／Ｆ部１６は、通信回線５Ａからこの着信情報確認要求を検出して制御部１８へ通知する。
制御部１８の情報提供手段１８Ｂは、通信Ｉ／Ｆ部１６で検出された着信情報確認要求に応じて、当該要求に含まれる利用者の認証情報と記憶部１７の利用者情報１７Ｃとを比較することにより利用者の認証確認を行う（ステップ１１１）。
【００３４】
そして、認証が得られた場合は、記憶部１７から着信情報１７Ｂを読み出し、通信Ｉ／Ｆ部１６から通信回線５Ａおよび通信網５を介して通信端末６へ送信する（ステップ１１２）。
この際、情報提供手段１８Ｂでの情報提供の仕組みについては、インターネットで広く用いられているＷｅｂ機能を利用してもよい。すなわち、情報提供手段１８Ｂで、インターネット上に配置されている情報提供用のＷｅｂサーバと同様のＨＴＴＰ（HyperText Transfar Protocol）という通信手順に基づき、通信端末との間で各種情報をやり取りするようにしてもよい。
【００３５】
一方、通信端末６では、主装置１からの着信情報を受信して画面表示する（ステップ１１３）。これにより、利用者が主装置１の着信情報を外出先で通信端末６により確認し、必要に応じて当該着信の発信者へ別途連絡をとることができる。
図５は、通信端末での着信情報の表示画面例であり、特に通信端末６が携帯電話端末の場合を例として示されており、この着信情報が携帯電話端末の画面にスクロール表示される。
【００３６】
この例では、着信情報６０として、着信件数６１と、着信ごとに着信時刻６２および発信者情報（電話番号）６３とが表示されている。特に、ＨＴＭＬ形式で着信情報を通信端末へ通知する場合、発信者情報をphoneto機能で記述してもよい。phoneto機能とは、ＨＴＭＬ形式で例えば<a href="phoneto:03-XXXX-AAAA">03-XXXX-AAAA</a>と記述することにより、図５の「03-XXXX-AAAA」と表示された部分（アンカー）を選択操作するだけで自動的に当該電話番号へ電話をかける機能である。このような機能を利用することにより、利用者が電話番号を入力する操作を省くことができる。
【００３７】
このように、本実施の形態では、主装置１の呼制御手段１８Ａにより、着信時に電話網３から通知される当該着信の発信者情報を発信者情報検出部１４で検出するとともに、当該着信があった着信時刻を計時部１５から取得し、これら情報を当該着信に関する着信情報１７Ｂとして記憶部１７へ格納し、主装置１の情報提供手段１８Ｂにより、通信網５を介した任意の通信端末６からの着信情報確認要求に応じて、記憶部１７から着信情報１７Ｂを読み出して通信端末６へ提供するようにしたので、利用者が外出先から通信端末により主装置１の着信情報を容易に確認できる。
【００３８】
したがって、利用者が外出中に電話装置１０へ着信があり利用者が応答できなかった場合でも、その着信に関する着信情報、ここでは発信者情報と着信時刻とを外出先から逐次確認でき、必要に応じて発信者へ折り返し連絡をとることができる。
なお、着信情報としては、少なくとも発信者情報と着信時刻とが含まれていればよいが、当該着信への応答有無を示す情報を含むようにしてもよく、外出中の利用者が、発信者に対する連絡の必要養成や緊急性を判断できる。さらに、着信情報として、当該着信へ応答した応答端末を示す情報を含むようにしてもよく、外出中の利用者が応答者へ連絡し、発信者との通話の内容を確認することができる。
【００３９】
［第２の実施の形態］
次に、図６を参照して、本発明の第２の実施の形態にかかる電話装置について説明する。図６は、本発明の第２の実施の形態にかかる電話装置の動作を示すシーケンス図である。なお、本発明の第２の実施の形態にかかる電話装置の接続形態や主装置１の構成については、前述の図１，２と同様であり、ここでの説明は省略する。
【００４０】
前述した第１の実施の形態では、主装置１から通信端末６へ着信情報を提供する場合を例として説明したが、本実施の形態では、主装置１でこの着信情報に対する対応状況情報を通信端末６から受け取って当該着信情報に対応付けて記憶し、その後の着信情報確認要求に応じて当該着信情報とともに対応状況情報を提供する場合について説明する。
【００４１】
前述した図４と同様にして、相手電話機４からの発信に応じて電話網３からの着信信号が検出された場合（ステップ１２０）、主装置１の呼制御手段１８Ａは、対応する内線端末２へ着信を通知する（ステップ１２１）。
この際、呼制御手段１８Ａは、発信者情報検出部１４から通知された当該着信に関する発信者情報を取得する（ステップ１２２）。また、計時部１５から当該着信のあった時刻を着信時刻として取得する（ステップ１２３）。
【００４２】
この後、いずれかの内線端末２で応答操作が行われる前に、相手電話機４で発信を中止した場合、電話網３からの着信信号が停止する（ステップ１２４）。
呼制御手段１８Ａは、外線Ｉ／Ｆ部１１で着信信号が検出されなくなった場合、ステップ１２２，１２３で取得した当該着信に関する発信者情報および着信時刻と、当該着信に対して応答がなかったことを、記憶部１７へ着信情報として格納する（ステップ１２５）。これにより、呼制御手段１８Ａは、一連の着信処理を終了する。
【００４３】
このような着信処理により、記憶部１７の着信情報１７Ｂには、図７に示すように、着信ごとに、当該着信の発信者情報、着信時刻、当該着信に対する応答有無、および応答端末がそれぞれ記録される。本実施の形態では、着信情報１７Ｂとして、上記各項目に関連付けて対応状況情報を記憶している。
【００４４】
対応状況情報は、当該着信情報を外出先から通信端末６により確認した利用者が、通信端末６から入力して主装置１へ送信した情報である。
この例では、利用者が当該着信情報に基づき発信者へ折り返し連絡をしたか否かを示す「折り返し連絡有無」およびこれを記入した利用者を示す「折り返し記入者」、さらには当該着信情報に対する利用者の「コメント」およびこれを記入した利用者を示す「コメント記入者」などの項目が設けられている。このほか、それぞれの記入を行った時刻情報（日時情報）を設けてもよい。
【００４５】
その後、外出中の利用者が通信端末６から通信網５および通信回線５Ａを介して主装置１へ、着信情報の確認を要求する着信情報確認要求を送信した場合（ステップ１３０）、前述した図４のステップ１１１〜１１３と同様にステップ１３１〜１３３により、主装置１から通信端末６へ記憶部１７の着信情報１７Ｂが提供され、通信端末６で画面表示される。
【００４６】
図８は、通信端末での着信情報の表示画面例であり、特に通信端末６が携帯電話端末の場合を例として示されており、この着信情報が携帯電話端末の画面にスクロール表示される。この例では、着信情報６０Ａとして、着信件数６１と、着信ごとに着信時刻６２、発信者情報（電話番号）６３、応答有無情報６４、折り返し有無情報６５、コメント欄６６、および送信ボタン６７とが表示されている。
特に、折り返し有無情報６５についてはチェック欄が表示されており、このチェック欄がチェックされていれば折り返し有りを示す。また、このチェック欄をチェックすることにより利用者が折り返し連絡を行ったことを記入し主装置１へ登録できる。また、コメント欄６６は、文字入力ボックスからなり利用者が任意のコメントを文字入力できる。
【００４７】
ここで、利用者がその着信情報に基づき、外出先から発信者への連絡を行った場合（ステップ１４０）、利用者は当該画面６０のうち折り返し連絡をとった着信情報について、折り返し有無情報６５のチェック欄にチェックを記入し、必要に応じてコメント欄６６に任意のコメントを記入する（ステップ１４１）。
図９は、通信端末での着信情報に対する対応状況情報の記入表示画面例である。この着信情報６０Ｂでは、折り返し有無情報６５のチェック欄にチェックが記入されているとともに、コメント欄６６に発信者へ連絡した内容として「変更Ａ通知済み」というコメントが記入されている。
【００４８】
そして、当該画面６０の送信ボタン６７を選択操作する。これにより、記入した項目の情報に当該利用者の識別情報、例えば主装置１で認証確認された利用者名（ログイン名）が付加されて対応状況情報が生成され、着信情報更新指示により通信網５および通信回線５Ａを介して主装置１へ送信される（ステップ１４２）。着信情報更新指示は、着信情報と同様に、ＨＴＴＰ（HyperText Transfar Protocol）という通信手順に基づき、主装置１へ送信するようにしてもよい。
【００４９】
主装置１の情報提供手段１８Ｂは、通信端末６からの着信情報更新指示を受信し、その指示に付加されている対応状況情報を、記憶部１７の着信情報１７Ｂに対応付けて格納更新する（ステップ１４３）。
これにより、図１０に示すように、着信情報１７Ｂには、当該着信情報２０１の対応状況情報として、「折り返し連絡有無」欄が対応状況情報の折り返し有無情報６５のチェックに応じた「あり」と更新され、「コメント」欄が対応状況情報のコメント欄６６のコメント内容「変更Ａ連絡済み」と更新される。また「折り返し記入者」欄および「コメント記入者」欄が当該利用者の識別情報として例えば利用者名により更新される。
【００５０】
したがって、その後、他の利用者により通信端末６から着信情報１７Ｂが確認された場合、図１１に示すように、これら対応状況情報が表示される。
図１１の着信情報６０Ｃでは、折り返し有無情報６５のチェック欄には、対応状況情報の「折り返し連絡有無」欄の「あり」に応じて折り返し連絡済みを示すチェックが表示されているとともに、対応状況情報の「折り返し記入者」欄の内容が折り返し記入者名６５Ａとして表示されている。また、コメント欄６６には、対応状況情報の「コメント」欄の内容が表示されているとともに、対応状況情報の「コメント記入者」欄の内容がコメント記入者名６６Ａとして表示されている。
【００５１】
このように、本実施の形態では、情報提供手段により、着信情報１７Ｂを通信端末６へ提供した際、着信情報のうちのいずれかに関する対応状況情報を含む通信端末６からの着信情報更新指示に応じて、対応状況情報を当該着信情報１７Ｂに関連付けて記憶部１７に格納し、着信情報１７Ｂを提供する際、対応状況情報を含む着信情報を提供するようにしたので、個々の着信情報に対してどのような対応状況であるかを対応状況情報により他の利用者へ知らせることができる。
したがって、外出中の利用者間で各着信に対する対応状況を容易に共有することができ、利用者間で別途連絡を取り合うという負担を軽減できる。
【００５２】
［第３の実施の形態］
次に、図１２を参照して、本発明の第３の実施の形態にかかる電話装置について説明する。図１２は、本発明の第３の実施の形態にかかる電話装置の動作を示すシーケンス図である。なお、本発明の第３の実施の形態にかかる電話装置の接続形態や主装置１の構成については、前述の図１，２と同様であり、ここでの説明は省略する。
【００５３】
前述した第１の実施の形態では、通信端末６からの要求に応じて主装置１から通信端末６へ着信情報を提供する場合を例として説明したが、本実施の形態では、主装置１で着信情報が得られた場合、予め登録されている通知先アドレスへ通信網５を介して着信情報を送信する場合について説明する。
【００５４】
前述した図６と同様にして、相手電話機４からの発信に応じて電話網３からの着信信号が検出された場合（ステップ１２０）、主装置１の呼制御手段１８Ａは、対応する内線端末２へ着信を通知する（ステップ１２１）。
この際、呼制御手段１８Ａは、発信者情報検出部１４から通知された当該着信に関する発信者情報を取得する（ステップ１２２）。また、計時部１５から当該着信のあった時刻を着信時刻として取得する（ステップ１２３）。
【００５５】
この後、いずれかの内線端末２で応答操作が行われる前に、相手電話機４で発信を中止した場合、電話網３からの着信信号が停止する（ステップ１２４）。
呼制御手段１８Ａは、外線Ｉ／Ｆ部１１で着信信号が検出されなくなった場合、ステップ１２２，１２３で取得した当該着信に関する発信者情報および着信時刻と、当該着信に対して応答がなかったことを、記憶部１７へ着信情報として格納する（ステップ１２５）。これにより、呼制御手段１８Ａは、一連の着信処理を終了する。
【００５６】
情報提供手段１８Ｂは、呼制御手段１８Ａで着信情報１７Ｂが記憶部１７へ格納された場合、記憶部１７の利用者情報１７Ｃから予め登録されている各利用者の通知先アドレスを取得して（ステップ１５０）、この通知先アドレスと着信情報１７Ｂを参照するために必要な情報、例えばＨＴＴＰで着信情報を閲覧するのに必要なアドレス情報ＵＲＬ（Uniform Resource Locator）とから電子メールを生成し（ステップ１５１）、通信Ｉ／Ｆ部１６から通信網５へ送信する（ステップ１５２）。
【００５７】
通信端末６は、主装置１からの電子メールを受信し、その内容を画面表示する。図１３は、受信した電子メールの画面表示例であり、特に通信端末６が携帯電話端末の場合を例として示されており、この電子メールの内容が携帯電話端末の画面にスクロール表示される（ステップ１５３）。この例では、電子メール６０Ｄとして、着信件数６１と、着信情報の閲覧を指示するためのＵＲＬ６８が表示されている。
【００５８】
特に、ＨＴＭＬ形式でＵＲＬを通信端末へ通知する場合、そのＵＲＬをアンカー機能で記述してもよい。アンカー機能とは、ＨＴＭＬ形式で例えば<a href="http://hoge.jpn@log.htm">http://hoge.jpn@log.htm</a>と記述することにより、図１３の「http://hoge.jpn@log.htm」と表示された部分（アンカー）を選択操作するだけで自動的に当該ＵＲＬの装置へＨＴＴＰで接続する機能である。このような機能を利用することにより、利用者がＵＲＬを入力する操作を省くことができる。
【００５９】
このように、本実施の形態では、主装置１の呼制御手段１８Ａにより、着信情報が取得された場合、情報提供手段１８Ｂにより、当該着信情報を閲覧するために必要な情報を、予め登録されている通知先アドレスへ電子メールで送信するようにしたので、その通知先アドレスとして外出中の利用者の電子メールアドレスを登録しておくことにより、その利用者が電子メールを受信し、直ちに着信情報を確認できる。
したがって、着信情報が更新されたことを外出中の利用者が自動的に知ることができ、間欠的に着信情報を確認する必要がなくなり、着信情報の確認に必要な作業負担を大幅に削減できる。
【００６０】
なお、電子メールの通知については、外出中の利用者など必要とする利用者に対してのみ送信すればよい。この際、各利用者が電子メールの通知を必要とする場合に、各自内線端末２で所定操作を行うことにより、個々の通知先アドレスを利用者情報１７Ｃへ登録するようにしてもよい。これにより、通知先アドレスが登録されている利用者に対してのみ電子メールが通知される。
また、利用者情報１７Ｃに電子メールの通知要否を示す情報を別途設けて、各自内線端末２で所定操作を行うことにより電子メールの通知要否を登録するようにしてもよい。これにより、通知要と登録されている利用者に対してのみ、当該利用者の通知先アドレスへ電子メールが通知される。
【００６１】
［各実施の形態の拡張］
前述した各実施の形態では、電話装置がボタン電話装置や親子電話装置などの電話システムからなる場合を例として説明したが、これに限定されるものではなく、内線端末や子機のない単独電話装置や、ファクシミリ機能付き電話装置、あるいは留守番電話装置にも、前述と同様にして各実施の形態を適用でき、同様の作用効果が得られる。
【００６２】
また、主装置１の呼制御手段１８Ａで着信情報１７Ｂを更新する際、例えば着信時刻からの経過時間などの削除基準で、過去の着信情報を削除するようにしてもよい。また、この削除処理は、情報提供手段１８Ｂで行ってもよい。この際、着信情報１７Ｂの対応状況情報に削除または保存を指示する項目を設け、利用者が通信端末６から任意の着信情報について削除または保存を指示し、この指示に基づき情報提供手段１８Ｂで削除または保存を判断するようにしてもよい。
【００６３】
また、主装置１の情報提供手段１８Ｂで着信情報１７Ｂを提供する際、着信情報１７Ｂをすべて提供してもよく、着信情報１７Ｂのうちから選択したもののみを提供するようにしてもよい。例えば、記憶部１７の利用者情報１７Ｃに当該利用者へ通知すべき着信情報の選択基準を登録しておき、当該選択基準を満足する着信情報だけを提供するようにしてもよい。
【００６４】
この際、選択基準として発信者情報（発信者電話番号）を登録しておくことにより、所望の発信者からの着信に関する情報のみを効率よく提供できる。また、着信情報１７Ｂで、当該着信の着信先電話番号を記憶するものとし、選択基準として当該利用者の着信電話番号を登録しておくことにより、利用者本人への着信に関する情報のみを効率よく提供でき、特に複数の電話回線や電話番号を利用して複数の利用者で共用する電話装置に好適である。
【００６５】
また、前述した各実施の形態では、電話網３がＰＳＴＮの場合を例として説明したが、ＩＳＤＮやＩＰ電話網であっても、前述と同様に各実施の形態を適用でき、同様の作用効果が得られる。この際、ＩＳＤＮやＩＰ電話網の場合、着信時のメッセージにより発信者情報が通知される。したがって、ＰＳＴＮの場合のように発信者情報検出部１４という回路部に代わって、着信時のメッセージから発信者情報を検出する発信者情報検出手段を制御部１８の機能手段として設ければよい。
【図面の簡単な説明】
【００６６】
【図１】本発明の第１の実施の形態にかかる電話装置の接続形態を示すブロック図である。
【図２】本発明の第１の実施の形態にかかる主装置の構成を示すブロック図である。
【図３】本発明の第１の実施の形態にかかる電話装置で用いられる着信情報の構成例である。
【図４】本発明の第１の実施の形態にかかる電話装置の動作を示すシーケンス図である。
【図５】通信端末での着信情報の表示画面例である。
【図６】本発明の第２の実施の形態にかかる電話装置の動作を示すシーケンス図である。
【図７】本発明の第２の実施の形態にかかる電話装置で用いられる着信情報の構成例である。
【図８】通信端末での着信情報の他の表示画面例である。
【図９】通信端末での着信情報に対する対応状況情報の記入表示画面例である。
【図１０】着信情報（対応状況情報）の更新例である。
【図１１】通信端末での着信情報の他の表示画面例である。
【図１２】本発明の第３の実施の形態にかかる電話装置の動作を示すシーケンス図である。
【図１３】受信した電子メールの画面表示例である。
【符号の説明】
【００６７】
１０…電話装置、１…主装置、１１…外線Ｉ／Ｆ部、１２…スイッチ、１３…内線Ｉ／Ｆ部、１４…発信者情報検出部、１５…計時部、１６…通信Ｉ／Ｆ部、１７…記憶部、１７Ａ…呼制御情報、１７Ｂ…着信情報、１７Ｃ…利用者情報、１７Ｐ…プログラム、１８…制御部、１８Ａ…呼制御手段、１８Ｂ…情報提供手段、２…内線端末、２Ａ…内線伝送路、３…電話網、３Ａ…電話回線、４…相手電話機、５…通信網、５Ａ…通信回線、６…通信端末。
【図１】
2006129280.tif 000003
【図２】
2006129280.tif 000004
【図３】
2006129280.tif 000005
【図４】
2006129280.tif 000006
【図５】
2006129280.tif 000007
【図６】
2006129280.tif 000008
【図７】
2006129280.tif 000009
【図８】
2006129280.tif 000010
【図９】
2006129280.tif 000011
【図１０】
2006129280.tif 000012
【図１１】
2006129280.tif 000013
【図１２】
2006129280.tif 000014
【図１３】
2006129280.tif 000015